(57)【特許請求の範囲】
【請求項１】
開口部に設置される枠体と、框組みしてなり枠体に対して開閉自在に支持される障子と、少なくとも障子の吊元側に設けられる引寄手段とを備え、
引寄手段は、枠体の内周面若しくは障子の外周面に設けられるローラ部材と、障子の外周面若しくは枠体の内周面に設けられる引寄部材とを有し、
引寄部材は、見込み方向略中央位置に見付け方向に凹む引寄凹部を有するとともに、引寄凹部外の少なくとも幅方向一方側に隣接して引寄凸部が引寄凹部に連続して形成されており、
ローラ部材は、上下方向に回転軸を有し、障子の閉鎖動作時に引寄部材の引寄凸部に当接し、障子の閉鎖状態において引寄部材の引寄凹部の底に位置するローラ体を有している
ことを特徴とする建具。
【発明の詳細な説明】
【技術分野】
【０００１】
建物開口部に設けられた枠体に対して、開閉自在に支持される障子を備える建具に関する。
【背景技術】
【０００２】
従来、建物開口部に設けられる建具においては、障子の吊元側に障子を枠体に引き寄せる引寄手段が設けられており、障子の閉鎖時に障子を枠体に引き寄せることで気密性を維持している。
【先行技術文献】
【特許文献】
【０００３】
【特許文献１】実用新案登録第２５０３８５８号
【発明の概要】
【発明が解決しようとする課題】
【０００４】
近年、建物の開口部の形状は多様性を増しており、縦に長い建具も求められている。このような縦に長い建具においても、障子の閉鎖時に障子を枠体に対して適度な力で引き寄せて気密性を維持することが求められていた。
また、施工時には框組みした障子を枠体に納めて現場に搬送するなどしているが、縦框材が長尺のために框体にガラス板が嵌め込まれるまでの間に長尺の縦框材が外周方向にはらんでしまい、枠体内で変形したり破損する可能性があった。
【０００５】
本発明は、上記の事情を鑑みたものであり、障子の閉鎖時に障子を適度な力で枠体に引き寄せることができ、建具の施工時には障子の縦框のはらみを抑制して、施工を容易にすることができる建具を提供することを目的とする。
【課題を解決するための手段】
【０００６】
本発明は、開口部に設置される枠体と、框組みしてなり枠体に対して開閉自在に支持される障子と、少なくとも障子の吊元側に設けられる引寄手段とを備え、引寄手段は、枠体の内周面若しくは障子の外周面に設けられるローラ部材と、障子の外周面若しくは枠体の内周面に設けられる引寄部材とを有し、引寄部材は、見込み方向略中央位置に見付け方向に凹む引寄凹部を有するとともに、引寄凹部外の少なくとも幅方向一方側に隣接して引寄凸部が引寄凹部に連続して形成されており、ローラ部材は、上下方向に回転軸を有し、障子の閉鎖動作時に引寄部材の引寄凸部に当接し、障子の閉鎖状態において引寄部材の引寄凹部の底に位置するローラ体を有していることを特徴とする。
【発明の効果】
【０００７】
障子の閉鎖時に障子を枠体に確実に引き寄せることができ、過度の引寄せを防止して気密性を向上させることができる。
【図面の簡単な説明】
【０００８】
【図１】本発明の実施形態に係る建具の内観図であり、（ａ）は枠体及び障子を説明するための全体内観図、（ｂ），（ｃ）は引寄手段及び負圧受け手段の配置を説明するための全体内観図である。
【図２】本発明の実施形態に係る建具の縦断面図である。
【図３】本発明の実施形態に係る建具の横断面図である。
【図４】本発明の実施形態に係る建具に固着される引寄手段を説明するための図であり、（ａ）は引寄手段が取り付けられている部分の縦枠及び縦框の横断面図であり、（ｂ）は図４（ａ）のＡ部分の拡大図である。
【図５】本発明の実施形態に係る建具の引寄手段の図であり、（ａ）は引寄手段を構成するローラ部材の平面図、（ｂ）は同正面図、（ｃ）は同側面図であり、（ｄ）は引寄手段を構成する引寄部材の側面図、（ｅ）は同平面図である。
【図６】本発明の実施形態に係る建具の閉鎖動作状態における縦枠及び縦框の引寄手段が装着されている部位の横断面図であり、（ａ）（ｂ）ともに閉鎖動作途中の横断面図である。
【図７】本発明の実施形態に係る建具に固着される負圧受け手段を説明するための図であり、（ａ）は負圧受け手段が取り付けられている部分の左縦枠及び左縦框の横断面図であり、（ｂ）は障子に負圧がかかっている状態における左縦枠及び左縦框の引寄手段が装着されている部位の横断面図である。
【図８】本発明の実施形態に係る建具の負圧受け手段の図であり、（ａ）は負圧受け手段を構成する枠側受け部材の側面図、（ｂ）は同平面図、（ｃ）は同正面図であり、（ｄ）は負圧受け手段を構成する框側受け部材の室外側から見た正面図、（ｅ）は同平面図、（ｆ）は側面図である。
【図９】本発明の実施形態に係る建具おける負圧受け手段の働きを説明するための図であり、（ａ）は障子に負圧がかかっている状態における左縦枠及び左縦框の引寄手段が装着されている部位の横断面図であり、（ｂ）は同負圧受け手段が装着されている部位の横断面図である。
【図１０】本発明の実施形態に係る建具における施工時の一例を示す横断面図である。
【発明を実施するための形態】
【０００９】
−縦すべり出し窓の全体構成−
本発明の実施形態に係る建具を、図面を用いて説明する。
本発明の実施形態に係る建具は、図１（ａ）に示されるように、上枠１１，下枠１２及び左右の縦枠１３，１４を四周に組んでなり建物の開口部に配置される枠体１と、上框２１，下框２２及び左右の縦框２３，２４を四周に組んで内周にガラス等パネルを装着してなり枠体１に開閉自在に支持される障子２とを有している。
そして、建具は、左縦框２３を吊元側框として右縦框２４が室外側に開放するものであり、横寸法に比べて縦寸法が比較的大きい縦に長い縦すべり出し窓として構成されている。
【００１０】
本実施形態に係る縦すべり出し窓は、少なくとも障子２の吊元側に引寄手段５及び負圧受け手段６が設けられており、引寄手段５及び負圧受け手段６は、建具の縦寸法に応じて取付位置が設定されている。例えば、建具の縦寸法が１４００ｍｍ以下の場合には、図１（ｂ）に示すように、障子２の吊元側の高さ方向略中央位置に一つの引寄手段５が配置されるとともにその下方位置に負圧受け手段６が配置され、建具の縦寸法が１４００ｍｍを超える場合には、図１（ｃ）に示すように、高さ方向略中央位置に一つの負圧受け手段６が配置されるとともにその上下位置に二つの引寄手段５，５が配置される。そして、障子２の戸先側には、必要に応じてセッティングブロック８が配置される。
【００１１】
枠体１を構成する上枠１１は、図２に示すように、建物開口部に固定され枠体１の内周面を形成する上枠本体部１１ａと、上枠本体部１１ａの室内側下面より下方に延設される室内側垂下壁部１１ｂと、上枠本体部１１ａの室外側下面より下方に延設される上気密材取付部１１ｃとを有しており、室内側垂下壁部１１ｂの室外側面の下方位置には障子２の上框２１の室内側見付面に当接する気密材ｓ１が取り付けられるとともに、上気密材取付部１１ｃには、障子２の上框２１の室外側上端に当接若しくは近接する気密材ｓ２が下方に向けて取り付けられている。
下枠１２は、建物開口部に固定され枠体１の内周面を形成するとともに室外側下方に中空の水切り部を有する下枠本体部１２ａと、下枠本体部１２ａの室内側に立ち上がる中空構造の立上壁１２ｂとを有しており、立上壁１２ｂの室外側面の上方位置には障子２の下框２２の室内側見付面に当接する気密材ｓ１が取り付けられている。
【００１２】
枠体１を構成する左右の縦枠１３、１４は、図３に示すように、略同一形状をなしており、それぞれ建物開口部に固定され枠体１の内周面を形成する左右の縦枠本体部１３ａ，１４ａと、縦枠本体部１３ａ，１４ａの室内側内周面より内周方向に延設される左、右内壁部１３ｂ，１４ｂを有しており、左、右内壁部１３ｂ，１４ｂの室外側面の内周端には障子２の左、右縦框２３，２４の室内側見付面に当接する気密材ｓ１，ｓ１が取り付けられている。
【００１３】
障子２を構成する上框２１は、図２に示すように、障子２の框体の中空部を有し上方外周面を形成する上框本体２１１と、上框本体２１１の室内側内周面に取り付けられてパネル間口を形成する押縁２１２を有しており、上框本体２１１は、中空構造を備える上框本体部２１１ａと、上框本体部２１１ａの室外側内周面より内周方向に延設されてパネル間口を形成する室外側間口壁２１１ｂと、上框本体部２１１ａの室外側外周面より外周方向に延設される上框室外壁部２１１ｃとからなる。
障子２を構成する下框２２は、障子２の中空構造を備え下方外周面を形成する下框本体部２２ａと、下框本体部２２ａの室内側内周面より内周方向に延設されてパネル間口を形成する室内側間口壁２２ｂと、下框本体部２２ａの室外側内周面より内周方向に延設されてパネル間口を形成する室外側間口壁２２ｃと、下框本体部２２ａの室外側外周面より下方に延設される下框外壁部２２ｄとから構成されている。
【００１４】
障子２を構成する左、右縦框２３、２４は、図３に示すように、略同一形状をなしており、それぞれ障子２の外周面を形成する左、右縦框本体２３１，２４１と、左、右縦框本体２３１，２４１の室内側内周面に取り付けられてパネル間口を構成する押縁２３２，２４２とから構成されており、左、右縦框本体２３１，２４１は、障子２の外周面を形成する左、右縦框本体部２３１ａ，２４１ａと、左、右縦框本体部２３１ａ，２４１ａの室外側内周面から内周方向に延設されてパネル間口を構成する室外側間口壁２３１ｂ，２４１ｂと、左、右縦框本体部２３１ａ，２４１ａの室外側外周面より外周方向に延設されてなる左、右縦框外壁部２３１ｃ，２４１ｃとからなる。
左、右縦框２３，２４の左、右縦框外壁部２３１ｃ，２４１ｃの外周端部には外周方向に左、右縦枠１３，１４に当接するヒレ片を有する気密材ｓ３が取り付けられている。
【００１５】
右縦框２４の押縁２４２には、ハンドル７が取り付けられており、使用者がハンドル７をつかんで室外側に押し出すことにより、左縦框２３を吊元側として右縦框２４が外方へ押し出され、建具を開放することができる。
そして、図３に示す本実施形態に係る縦すべり出し窓においては、吊元側（左）縦枠１３及吊元側（左）縦框２３との間に、障子２を枠体１に引き寄せる引寄手段５が設けられるとともに、戸先側（右）縦枠１４と戸先側（右）縦框２４との間にも、同様に引寄手段５が設けられており、障子２の閉鎖時に、障子２を枠体１に引き寄せて、気密材ｓ１による障子２と枠体１との間の気密をより確実にしている。
なお、引寄手段５は、少なくとも吊元側の縦枠と縦框との間に設けられていればよく、必ずしも左右両側の縦枠、縦框間に設けられていなくてもよい。
【００１６】
−引寄手段の構成−
本実施形態に係る縦すべり出し窓の引寄手段５について、吊元側（左）縦枠１３と吊元側（左）縦框２３との間に設けられた引寄手段５を用いて、図面を参考にして説明する。なお、戸先側の縦枠と縦框との間に設けられる引寄手段５の構成は、吊元側の縦枠と縦框との間に設けられる引寄手段５の構成と略同様である。
引寄手段５は、図４（ａ）に示すように、枠体１の左縦枠１３の内周面に固定されるローラ部材５１と、障子２の左縦框２３の外周面であって、ローラ部材５１と対向する位置に固定される引寄部材５２とにより構成されている。
【００１７】
ローラ部材５１は、図５（ａ）乃至（ｃ）に示すように、スチール等の金属製材料からなり左縦枠１３の内周面に取り付けられる取付基材５１１と、合成樹脂等の材料からなり取付基材５１１に対して回転自在に支持されるローラ体５１２と、ローラ体５１２を取付基材５１１に支持するための軸体５１３とから形成されている。
取付基材５１１は、左縦枠１３の内周面に固定するための取付部５１１ａと、取付部５１１ａに所定間隔で立設される２つの支持壁５１１ｂ，５１１ｂとから形成されており、取付部５１１ａにはネジ等の固定手段によって左縦枠１３の内周面に固定するための長ネジ孔５１１ｃ，５１１ｃが設けられているとともに、支持壁５１１ｂ，５１１ｂには軸体５１３が挿入される支持孔５１１ｄ，５１１ｄが形成されている。
ローラ体５１２は、２つの支持壁５１１ｂ，５１１ｂの間隔と略同寸法の長さを有しており長さ方向に軸体５１３が回転自在に挿通される挿通孔が形成されている。
そして、ローラ部材５１は、支持壁５１１ｂ，５１１ｂの間に配置されたローラ体５１２を支持壁５１１ｂ，５１１ｂの支持孔５１１ｄ，５１１ｄに挿入される軸体５１３によって回転自在に支持することによって形成されており、図４（ａ）に示すように、ローラ体５１２の回転軸が上下方向となるように、左縦枠１３の内周面に長ネジ孔５１１ｃ，５１１ｃを介してネジ等の固定手段ｂ１，ｂ１により固定される。
【００１８】
一方、引寄部材５２は、図５（ｄ），（ｅ）に示すように、合成樹脂等からなり長さ方向が幅方向よりも長く形成された短尺で矩形ブロック状の引寄部５２ａと、引寄部５２ａの長さ方向両端に連続する取付部５２ｂ，５２ｂとが一体形成されてなり、引寄部５２ａと取付部５２ｂ，５２ｂの裏面が面一に連続する取付面として形成されている。
矩形ブロック状の引寄部５２ａの表面には、略中央に長さ方向に沿って引寄凹部５２ｃが曲面により形成されており、引寄凹部５２ｃの少なくとも幅方向一方側には引寄凹部５２ｃの曲面に連続するように引寄凸部５２ｄが曲面により形成されている。
そして、図４（ｂ）に示すように、引寄部材５２は、障子２の左縦框２３に対して引寄凸部５２ｄが室内側となるように長さ方向を上下にして配置され、取付部５２ｂ，５２ｂに形成されたビス孔５２ｅ，５２ｅを介してビス等の固定手段ｂ２により固定されることで、引寄凹部５２ｃが内周方向（見付け方向）に凹むように左縦框２３の内周面に配置される。
【００１９】
縦すべり出し窓の障子２の閉鎖動作時においては、図６（ａ）に示すように、障子２は支軸（図示はない。）を中心に時計回りに回転しながら、障子２の左縦框２３が左縦枠１３に対して内周方向から近接するように移動してくる。このとき、障子２の左縦框２３に取り付けられた引寄部材５２の引寄凸部５２ｄが左縦枠１３に取り付けられたローラ部材５１のローラ体５１２に対して近接し、やがてローラ体５１２に当接する。
この状態から、さらに障子２を閉鎖すると、図６（ｂ）に示すように、引寄凸部５２ｄがローラ部材５１のローラ体５１２を乗り越えて、引寄凹部５２ｃを形成する斜面によりローラ体５１２が引寄凹部５２ｃの底に収まるように障子２を室内側に引き寄せることができる。
そして、引寄凹部５２ｃの底に収まったローラ体５１２は、引寄凹部５２ｃを形成する両側の斜面により見込み方向への移動が抑制されるとともに、引寄凹部５２ｃは曲面で形成されていることにより、底に収まったローラ体５１２は引寄凹部５２ｃと面接触することになるので、ローラ体５１が引寄凹部５２ｃに収まった状態で安定し左縦框２３を枠体１に設けた気密材ｓ１に対して適度な力による押しつけ状態を維持することができる。
また、ローラ体５１２が引寄凹部５２ｃの底に安定した状態で収まることにより、枠体１内に配置した障子２の左縦框２３が外周側に変形することを防止することができ、建具の施工時で障子２にガラス板が装着されていない場合などには、障子２の左、右縦框２３，２４のはらみを抑制して施工を確実に行うことができる。
【００２０】
−負圧受け手段の構成−
本実施形態に係る縦すべり出し窓の負圧受け手段６について、図面を参考にして説明する。
負圧受け手段６は、図７（ａ）に示すように、枠体１の左縦枠１３の内周面に固定される枠側受け部材６１と、障子２の左縦框２３の外周面であって、枠側受け部材６１と対向する位置に固定される框側受け部材６２とにより構成されている。
枠側受け部材６１は、図８（ａ）乃至（ｃ）に示すように、スチール等の金属製材料からなり左縦枠１３の内周面に取り付けられる取付板部６１ａと、取付板部６１ａの一側端を略直角に折り曲げてなる負圧受け板部６１ｂとから形成されており、取付板部６１ａにはネジ等の固定手段ｂ３によって左縦枠１３の内周面に固定するための長ネジ孔６１ｃ，６１ｃが設けられている。
そして、図７（ａ）に示すように、枠側受け部材６１は、左縦枠１３の外周面に対して負圧受け板部６１ｂが室外側に配置されるように取付板部６１ａを当接させ長ネジ孔６１ｃ，６１ｃを介して見込み方向に位置調節されて、ネジ等の固定手段ｂ３によって取り付けられている。
【００２１】
一方、框側受け部材６２は、図８（ｄ）乃至（ｆ）に示すように、スチール等の金属製材料からなり左縦框２３の外周面に取り付けられる取付板部６２ａと、取付板部６２ａの一側端を略直角に折り曲げてなる負圧受け板部６２ｂとから形成されており、取付板部６２ａにはネジ等の固定手段ｂ４によって左縦框２３の外周面に固定するためのネジ孔６２ｃ，６２ｃが設けられている。
そして、図７（ａ）に示すように、框側受け部材６２は、障子２の左縦框２３に対して、負圧受け板部６２ｂが枠側受け部材６１の負圧受け板部６１ｂの室内側に所定の間隔ｄを空けて配置されるように取付板部６２ａを当接させネジ孔６２ｃ，６２ｃを介してネジ等の固定手段ｂ４によって取り付けられる。
【００２２】
障子２の閉鎖状態において、天候等を原因として建具の室外側に対して負圧がかかると、障子２図７（ｂ）の矢印Ａで示すように、全体を室外側に引っ張る力が作用する。この引っ張り力により、左縦框２３は引寄手段５による引寄位置から徐々に室外側に移動し、図９（ａ）に示すように、引寄部材５２の引寄凸部５２ｄがローラ部材５１のローラ体５１２に乗り上げて室外側に外れようとする。しかし、本実施形態の縦すべり出し窓においては負圧受け手段６が設けられており、引寄部材５２の引寄凸部５２ｄがローラ部材５１のローラ体５１２を完全に乗り越える前に、図７（ｂ）に示すように、左縦枠１３に取り付けた枠側受け部材６１の負圧受け板部６１ｂに左縦框２３の外周面に取り付けた框側受け部材６２の負圧受け板部６２ｂの室外側面が当接するように間隔ｄを設定することにより、枠側受け部材６１と框側受け部材６２との面での接触により障子２のそれ以上の移動が阻止されて、外れ等を防止することができる。
さらに、負圧がかかると、図９（ｂ）における矢印Ａで示すように、障子２の左縦框２３は回転する方向に力を受けるが、図９（ｂ）に示すように、左縦枠１３に取り付けた枠側受け部材６１の負圧受け板部６１ｂの先端部分が障子２の左縦框２３に取り付けた框側受け部材６２に接触することで左縦框２３の回転を防止して障子２の変形を防止することができる。
そして、ローラ体５１２と引寄部材５２は合成樹脂で形成されたなめらかな曲面形状をしていることから摩擦抵抗が少なく、負圧により引寄突部５２ｄがローラ体５１２を乗り越える位置まで変形しても、負圧が弱まると、障子２の復元力により、ローラ体５１２を伝って引寄凸部５２ｄは負圧により引っ張られるまえに配置されていた引寄凹部５２ｃの底に収まる位置まで戻ることができる。
【００２３】
−他の実施形態−
図３に示す実施形態に係る縦すべり窓においては、引寄手段５が障子２の左右両側に設けられており、障子２を確実に枠体１に引き寄せて気密材ｓ１による気密を維持することができるが、障子２の戸先（右）側には障子２を閉鎖するためのロック手段（図示はない。）等が設けられていることがあり、ロック手段等によるロック作用によって障子２をある程度引き寄せることができるので、必ずしも引寄手段５を設ける必要はない。
しかしながら、障子２の戸先側に本願発明の実施形態に係る引寄手段５が存在しないことによって、枠体1内に配置した障子２の両縦框の外周側への変形を防止することができず、建具の施工時で障子２にガラス板が装着されていない場合などに、障子２の左、右縦框２３，２４のはらみを抑制することができない。
そのような場合には、図１０に示すように、戸先側の右縦框２４と右縦枠１４との間に、セッティングブロック８を配置することによって、障子２の左、右縦框２３，２４のはらみを抑制することができる。
すなわち、図１０に示す実施形態においても、障子２の吊元側に配置された引寄手段５は、建具の施工時には障子２のはらみ防止手段として機能し、建具を施工した後の使用時には、障子２の引寄手段として機能することは、図３に示す実施形態と同じである。
【００２４】
以上のように、本実施形態の縦すべり出し窓においては、枠体及び障子の框間に配置した引寄手段により、障子を室内側に引き寄せるとともに、引き寄せた後は障子を外周側から内周側に向かって見付け方向に押さえつけるので、障子を枠体に対して適度の力により引き寄せることができ、気密材を障子に対して過度に押しつけることなく、長期間にわたって安定した閉鎖状態を維持することができる。
そして、障子の閉鎖時に外周側から内周側への押さえつけることができるので、障子の使用時のみならず、障子にガラス板を装着する前の施工時においても、障子の縦框のはらみを押さえつけることができ、施工時の障子の変形や破損を防止することができ、施工性を向上させることができる。
なお、本発明に係る建具においては、引寄手段のローラ部材と引寄部材の配置関係は、必ずしもローラ部材を枠側に配置して引寄部材を框側に配置するものに限定されるものではなく、引寄部材をその引寄凹部が外周方向（見付け方向）に凹むように枠側に配置するとともにローラ部材を框側に配置することによって構成することも可能である。
【符号の説明】
【００２５】
１        ：枠体
１１      ：上枠
１１ａ    ：上枠本体部
１１ｂ    ：室内側垂下壁部
１１ｃ    ：上気密材取付部
１２      ：下枠
１２ａ    ：下枠本体部
１２ｂ    ：立上壁
１３      ：左縦枠
１３ａ    ：縦枠本体部
１３ｂ    ：右内壁部
１４      ：右縦枠
１４ａ    ：縦枠本体部
１４ｂ    ：右内壁部
２        ：障子
２１      ：上框
２１１    ：上框本体
２１１ａ  ：上框本体部
２１１ｂ  ：室外側間口壁
２１１ｃ  ：上框室外壁部
２１２    ：押縁
２２      ：下框
２２ａ    ：下框本体部
２２ｂ    ：室内側間口壁
２２ｃ    ：室外側間口壁
２２ｄ    ：下框外壁部
２３      ：左縦框
２３１    ：右縦框本体
２３１ａ  ：右縦框本体部
２３１ｂ  ：室外側間口壁
２３１ｃ  ：右縦框外壁部
２３２    ：押縁
２４      ：右縦框
２４１    ：右縦框本体
２４１ａ  ：右縦框本体部
２４１ｂ  ：室外側間口壁
２４１ｃ  ：右縦框外壁部
２４２    ：押縁
５        ：引寄手段
５１      ：ローラ部材
５１１    ：取付基材
５１１ａ  ：取付部
５１１ｂ  ：支持壁
５１１ｃ  ：長ネジ孔
５１１ｄ  ：支持孔
５１２    ：ローラ体
５１３    ：軸体
５２      ：引寄部材
５２ａ    ：引寄部
５２ｂ    ：取付部
５２ｃ    ：引寄凹部
５２ｄ    ：引寄凸部
５２ｅ    ：ネジ孔
６        ：負圧受け手段
６１      ：枠側受け部材
６１ａ    ：取付板部
６１ｂ    ：負圧受け板部
６１ｃ    ：長ネジ孔
６２      ：框側受け部材
６２ａ    ：取付板部
６２ｂ    ：負圧受け板部
６２ｃ    ：ネジ孔
７        ：ハンドル
８        ：セッティングブロック
【図１】
0006669555.tif 000002
【図２】
0006669555.tif 000003
【図３】
0006669555.tif 000004
【図４】
0006669555.tif 000005
【図５】
0006669555.tif 000006
【図６】
0006669555.tif 000007
【図７】
0006669555.tif 000008
【図８】
0006669555.tif 000009
【図９】
0006669555.tif 000010
【図１０】
0006669555.tif 000011